(57)【要約】【課題】人体通信と非接触ＩＣカード通信の機能を有した人体通信カードホルダを利用する構成で、非接触ＩＣカードの保護領域にアクセスする目的で非接触ＩＣカードの認証を受けるときのキャリア発射に起因して生じる人体通信不能状態を回避し、非接触ＩＣカードの保護領域にあるデータを固定器から人体通信を経由して読み書きできる人体通信システムおよび人体通信カードホルダを提供する。【解決手段】この人体通信システムは、制御装置１３と人体通信固定器１２と人体通信移動器１１と非接触ＩＣカード１４から構成される人体通信システム１０であり、人体通信移動器は、人体通信固定器を介して制御装置から非接触ＩＣカードに対する認証指令を受けたとき、人体通信移動器は単独で認証プロセスを実行する手段（保護領域アクセス部２６）を備える。【選択図】図１
2015126482.tif 000002
【特許請求の範囲】
【請求項１】
制御装置と人体通信固定器と人体通信移動器と非接触ＩＣカードとから構成される人体通信システムであり、前記人体通信移動器は、前記人体通信固定器を介して前記制御装置から前記非接触ＩＣカードに対する認証指令を受けたとき、前記人体通信移動器は単独で認証プロセスを実行する手段を備えることを特徴とする人体通信システム。
【請求項２】
前記人体通信移動器で認証プロセスが実行される間、前記人体通信移動器から前記非接触ＩＣカードに対してキャリアの発射が継続されることを特徴とする請求項１記載の人体通信システム。
【請求項３】
前記人体通信移動器は、前記非接触ＩＣカードの保護領域の読取りを行うときに前記認証指令を受け、前記読取りが終了した後、前記認証指令に係る情報を削除し、読取り結果を前記人体通信固定器に送信することを特徴とする請求項１または２記載の人体通信システム。
【請求項４】
前記人体通信移動器は、前記非接触ＩＣカードを収容する構造を有した人体通信カードホルダであることを特徴とする請求項１〜３のいずれか１項に記載の人体通信システム。
【請求項５】
人体通信部と非接触ＩＣカード通信部と制御部と非接触ＩＣカード収容部を備え、人体通信固定器側の人体通信部を経由して前記非接触ＩＣカード収容部に収容された非接触ＩＣカードの保護領域を読み取る指令を受けたとき、前記制御部は、前記保護領域を認証して読み取るプロセスを実行することを特徴とする人体通信カードホルダ。
【請求項６】
前記非接触ＩＣカードの前記保護領域を認証するときには、前記制御部は、前記人体通信固定器側の前記人体通信部から与えられた認証指令暗号鍵を受け取り、前記非接触ＩＣカード通信部を介してキャリアを発射させながら前記認証指令暗号鍵を用いて認証の処理を行うことを特徴とする請求項５記載の人体通信カードホルダ。
【請求項７】
前記非接触ＩＣカードの前記保護領域に対する前記プロセスが終了したとき、前記制御部は、前記キャリアの発射を停止し、受け取った前記認証指令暗号鍵を消去し、前記人体通信固定器側の前記人体通信部に対して読取り結果を送ることを特徴とする請求項５または６記載の人体通信カードホルダ。
【発明の詳細な説明】
【技術分野】
【０００１】
本発明は、人体通信システムおよび人体通信カードホルダに関し、特に、入退場管理等に利用され、利用者が非接触ＩＣカードを携帯するだけで入退場を行える人体通信システムおよび人体通信カードホルダに関する。
【背景技術】
【０００２】
従来、人体通信（電界通信）の機能と非接触ＩＣカード通信（電磁誘導方式または電波方式による通信）の機能を有した人体通信ユニットが知られている（例えば特許文献１）。この特許文献１の図２に示されるように、この人体通信ユニットは、その内部に、ＩＣカードリーダライタと人体通信送信機と制御装置と電源を備えている。人体通信ユニットにおいて、ＩＣカードリーダは近くに存する非接触ＩＣカードとの間でキャリア（電磁誘導方式の磁束等）に基づく通信（非接触ＩＣカード通信）を行い、人体通信送信機は近くに存する外部の人体通信受信機との間で人体通信を行う。利用者によって携帯される人体通信ユニットの人体通信送信機は人体通信の「移動器」としての機能を有し、他方、外部に設置された人体通信受信機は人体通信の「固定器」としての機能を有している。また特許文献１の図４によれば、カードホルダの構造を有する人体通信ユニットの実施形態が示されている。図４に示されたカードホルダは、非接触式ＩＣカードを収容できる構造部を有し、さらに人体通信ユニットの前述した基本的構成を基板構造で内蔵している。人体通信ユニットを内蔵するカードホルダ（「人体通信カードホルダ」と記す）は、利用者によって携帯される。人体通信送信機と人体通信受信機との間の人体通信は、人体を通して行われる。
【０００３】
上記の人体通信カードホルダによれば、移動器である人体通信送信機と固定器である人体通信受信機が人体を介して人体通信を行い、併せて、収容された非接触ＩＣカードとの間で非接触ＩＣカード通信を行うことが可能である。特に、最終的には、非接触ＩＣカードとの間での無線通信、および移動器と固定器の間の人体通信を通して、必要なデータの送受を行うことができ、利用者が非接触ＩＣカードを携帯するだけで入出場等を行うことを可能とするものである。
【先行技術文献】
【特許文献】
【０００４】
【特許文献１】特開２０１２−５３５２０号公報（図２、図４等）
【発明の概要】
【発明が解決しようとする課題】
【０００５】
近年、人体通信の機能と非接触ＩＣカード通信の機能を有した人体通信カードホルダでは、人体通信および非接触ＩＣカード通信を経由して、固定器から、人体通信カードホルダ内に収容された非接触ＩＣカードの記憶領域にあるデータを読み書きすることが望まれている。非接触ＩＣカードの記憶領域の内、公開領域にあるデータ（カードのＩＤ）の読取りについては、図７に示すように、読取りシーケンスは既に実現されている。すなわち、外部の制御装置１０１から指令Ｓ１０１を受けた固定器１０２は、移動器１０３との間で人体通信１０５を行って、当該指令Ｓ１０１を移動器１０３に与える。移動器１０３は、非接触ＩＣカード１０４との間で電磁誘導による通信を行う。この電磁誘導による通信では、通信を行う期間中、移動器１０３から非接触ＩＣカード１０４に対してキャリア１０６が出力される。厳密には移動器１０３内においてＩＣカードリーダから非接触ＩＣカード１０４にキャリア１０６を発射する。移動器１０３は、固定器１０２から与えられた指令Ｓ１０１を非接触ＩＣカード１０４に与えてＩＤ１０７を読み取る。移動器１０３は、読み取ったＩＤ１０７を人体通信１０５を介して固定器１０２に送り、さらに固定器１０２は制御装置１０１に対して応答Ｓ１０２を行って、受け取ったＩＤ１０７を制御装置１０１に送る。
【０００６】
しかしながら、非接触ＩＣカード１０４の記憶領域の保護領域（秘密領域）にあるデータは、固定器１０２から直接的には読み取ることができない。その理由は、次の通りである。
【０００７】
非接触ＩＣカード１０４の保護領域にアクセスするためには、非接触ＩＣカード１０４との間で認証を行う必要がある。この認証の処理は、固定器１０２と非接触ＩＣカード１０４との間で行われる。そして、当該認証の処理およびそれに続く読み書き処理の期間中、ＩＣカードリーダライタから非接触ＩＣカード１０４に対して常にキャリアを発射し、非接触ＩＣカード１０４に対して電力を供給し続ける必要がある。キャリアが出ている間は、これがノイズになり、固定器１０２と移動器１０３の間での人体通信１０５と非接触ＩＣカード通信の干渉が起き、その結果として、人体通信が成立しなくなる。この動作状態を図８に示す。図８において、図７で説明した要素と同一の要素には同一の符号を付している。図８において、固定器１０２と非接触ＩＣカード１０４との間において認証１と認証２を行うとき、固定器１０２と移動器１０３の間において認証１と認証２に関連する人体通信１０５を行うとき、同時に、移動器１０３と非接触ＩＣカード１０４の間においても認証１と認証２に関連する処理を行う必要があるため、キャリア１０８が継続して発射されるという状態が生じる。
【０００８】
認証１と認証２の処理に関して、認証１と認証２の間でキャリア１０８が出射され続けなければならない理由は、以下の通りである。ＦｅｌｉＣａ（登録商標）等の非接触ＩＣカード１０４は電源を内蔵しないので、外部から与えられるキャリア１０８から電力を得なければならない。認証１の処理モードと認証２の処理モードとの間では、先ず、認証１の処理モード（モード１）が実行され、その後、認証２の処理モード（モード２）に遷移し、認証２の処理モード（モード２）が実行される。その後、さらに認証２の処理モード（モード２）から認証１の処理モード（モード１）に遷移する。以上の処理の流れは、中断されることなく、連続して行われることが必要である。ここで、キャリア１０８の供給が中断されると、非接触ＩＣカード１０４は、電源を内蔵しないため、モード０に遷移する。このため、認証１と認証２が実行されるためには、その間、継続してキャリア１０８の出射しなければならない。
【０００９】
以上により、実際の通信の流れとして、移動器１０３は、固定器１０２から認証１の通信を受けると、当該認証１を実行するため、キャリア１０８の出射を開始する。キャリア１０８の出射は、認証２の終了までを想定した時間で行われるように設定され、図示されるごとく継続される。そのため、移動器１０３と非接触ＩＣカード１０４の通信で、移動器１０３が非接触ＩＣカード１０４から認証１に係る情報を取得したとしても、当該情報を移動器１０３から固定器１０２へ人体通信１０５によって送ることができない。キャリア１０８が人体通信１０５に対して干渉するからである。従って、図中「×」の印で示すように、この通信は行えない。この結果、それ以降の認証２の通信は、×印で示すように、実際には生じない。こうして、キャリア１０８が出ている間は、これがノイズになり、固定器１０２と移動器１０３の間の人体通信１０５とキャリア１０８（非接触ＩＣカード通信）の干渉が起き、人体通信１０５が成立しない。
【００１０】
上記のように非接触ＩＣカード通信のキャリアが出ている間は干渉によって人体通信を行うことができないので、現在提案されている人体通信カードホルダ（移動器）の構成によれば、固定器と非接触ＩＣカードの間で認証を行うことができない。よって、固定器から非接触ＩＣカードの保護領域にあるデータを直接的には読み取ることができない。
【００１１】
本発明の目的は、上記の課題に鑑み、人体通信（電界通信）の機能と非接触ＩＣカード通信（電磁誘導方式等の通信（13.56MHz等））の機能を有した人体通信カードホルダを利用する構成において、非接触ＩＣカードの保護領域にアクセスする目的で非接触ＩＣカードの認証を受けるときのキャリア発射に起因して生じる人体通信不能状態（干渉状態）を回避し、非接触ＩＣカードの保護領域にあるデータを固定器から人体通信を経由して読み書きできるようにした人体通信システムおよび人体通信カードホルダを提供することにある。
【課題を解決するための手段】
【００１２】
本発明に係る人体通信システムおよび人体通信カードホルダは、上記の目的を達成するため、次のように構成される。
【００１３】
第１の人体通信システム（請求項１に対応）は、制御装置と人体通信固定器と人体通信移動器と非接触ＩＣカードとから構成される人体通信システムであり、人体通信移動器は、人体通信固定器を介して制御装置から非接触ＩＣカードに対する認証指令（読み書き指令等）を受けたとき、人体通信移動器は単独で認証プロセスを実行する手段（保護領域アクセス部２６）を備えることを特徴とする。
【００１４】
上記の人体通信システムでは、人体通信固定器から与えられる認証指令に基づき、人体通信移動器と非接触ＩＣカードとの間において、保護領域アクセス部によって人体通信移動器が単独で認証プロセスを実行させるようにしたため、人体通信固定器と非接触ＩＣカードとの間で認証プロセスを実行させる必要がなくなり、従来の問題を解消し、結果的に人体通信固定器から非接触ＩＣカードの保護領域にアクセスすることができ、非接触ＩＣカードの保護領域にあるデータを人体通信固定器から人体通信を経由して読み書きを行うことが可能となる。
【００１５】
第２の人体通信システム（請求項２に対応）は、上記の構成において、好ましくは、人体通信移動器で認証プロセスが実行される間、人体通信移動器から非接触ＩＣカードに対してキャリアの発射が継続されることを特徴とする。
【００１６】
第３の人体通信システム（請求項３に対応）は、上記の構成において、好ましくは、人体通信移動器は、非接触ＩＣカードの保護領域の読取りを行うときに認証指令を受け、読取りが終了した後、認証指令に係る情報を削除し、読取り結果を人体通信固定器に送信することを特徴とする。
【００１７】
第４の人体通信システム（請求項４に対応）は、上記の構成において、好ましくは、人体通信移動器は、非接触ＩＣカードを収容する構造を有した人体通信カードホルダであることを特徴とする。
【００１８】
第１の人体通信カードホルダ（請求項５に対応）は、人体通信部と非接触ＩＣカード通信部と制御部と非接触ＩＣカード収容部を備え、人体通信固定器側の人体通信部を経由して非接触ＩＣカード収容部に収容された非接触ＩＣカードの保護領域を読み取る指令を受けたとき、制御部は、保護領域を認証して読み取るプロセスを実行することを特徴とする。この人体通信カードホルダによれば、人体通信と非接触ＩＣカード通信を行える構成を有し、人体通信固定器が、非接触ＩＣカード収容部に収容された非接触ＩＣカードの保護領域を読み取ろうとするとき、内部に設けた制御部が当該保護領域を認証して読み取るように構成されたため、人体通信と非接触ＩＣカード通信の干渉を避けて、確実に非接触ＩＣカードの保護領域を読み取ることが可能となる。
【００１９】
第２の人体通信カードホルダ（請求項６に対応）は、上記の構成において、好ましくは、非接触ＩＣカードの保護領域を認証するときには、制御部は、人体通信固定器側の人体通信部から与えられた認証指令暗号鍵を受け取り、非接触ＩＣカード通信部を介してキャリアを発射させながら認証指令暗号鍵を用いて認証の処理を行うことを特徴とする。
【００２０】
第３の人体通信システム（請求項７に対応）は、上記の構成において、好ましくは、非接触ＩＣカードの保護領域に対するプロセスが終了したとき、制御部は、キャリアの発射を停止し、受け取った認証指令暗号鍵を消去し、人体通信固定器側の人体通信部に対して読取り結果を送ることを特徴とする。
【発明の効果】
【００２１】
本発明によれば、次の効果を奏する。
本発明に係る人体通信システムによれば、制御装置と人体通信固定器と人体通信移動器と非接触ＩＣカードとから構成される人体通信システムであって、人体通信移動器は、人体通信固定器を介して制御装置から非接触ＩＣカードに対する認証指令を受けたとき、人体通信移動器は単独で認証プロセスを実行するため、キャリア発射に起因して生じる人体通信不能状態をなくし、非接触ＩＣカードの保護領域にあるデータを人体通信固定器から人体通信を経由して読み書きできる。
本発明に係る人体通信カードホルダによれば、人体通信と非接触ＩＣカード通信を行える構成を有し、人体通信固定器が、非接触ＩＣカード収容部に収容された非接触ＩＣカードの保護領域を読み取ろうとするとき、内部に設けた制御部が当該保護領域を認証して読み取るように構成されたため、キャリア発射に起因して生じる人体通信不能状態をなくし、確実に非接触ＩＣカードの保護領域を読み取ることできる。
【図面の簡単な説明】
【００２２】
【図１】本発明に係る人体通信システムの構成を示すブロック図である。
【図２】人体通信移動器（人体通信カードホルダ）の内部構成を示すブロック図である。
【図３】カードホルダとしての人体通信移動器の外観を示す斜視図である。
【図４】非接触ＩＣカードの保護領域の認証のみを行う認証プロセスを示すシーケンス図である。
【図５】非接触ＩＣカードの保護領域に対してアクセス（ＩＤ取得、認証、読み取り）を行うプロセスを示すシーケンス図である。
【図６】非接触ＩＣカードの保護領域に対してアクセスを行う他の例（暗号鍵交換、ＩＤ取得、認証、読み取り）のプロセスを示すシーケンス図である。
【図７】従来の非接触ＩＣカードの公開領域へのアクセスを行うプロセスを示すシーケンス図である。
【図８】非接触ＩＣカードの保護領域へのアクセスの問題を説明するためのシーケンス図である。
【発明を実施するための形態】
【００２３】
以下に、本発明の好適な実施形態（実施例）を添付図面に基づいて説明する。
【００２４】
図１を参照して本発明に係る人体通信システムの実施形態を説明する。人体通信システム１０は、移動器の側の人体通信移動器１１と、固定器の側の人体通信固定器１２および制御装置１３とから構成されている。人体通信移動器１１は、人体通信の移動ユニットであり、後述するようにカードホルダの形態を有しているため、図１中の人体通信移動器１１のブロックの中に、カードホルダを主眼としての名称を、「人体通信カードホルダ」として括弧書きで併せて記している。この実施形態の説明において、「人体通信移動器」と「人体通信カードホルダ」とは同一物である。カードホルダ形式の人体通信移動器１１の中には後述するように非接触ＩＣカード収容部を有し、通常の使用状態では当該非接触ＩＣカード収容部に非接触ＩＣカードが収容されている。従って、図１の人体通信移動器１１の中には破線で非接触ＩＣカード１４が示されている。人体通信移動器１１の内部には、非接触ＩＣカード収容部に収容された非接触ＩＣカード１４との間で、非接触ＩＣカード通信（電磁誘導方式の通信（13.56MHz等）または電波通信）を行う機能部を設けている。また制御装置１３は、人体通信システム１０の通信内容および処理を管理するシステム管理装置としての機能を有している。そこで、図１では、制御装置１３のブロックの中に、併せて括弧書きで「システム管理装置」と記載されている。人体通信固定器１２と制御装置１３は接続されており、人体通信固定器１２は、制御装置１３から各種指令を適宜に受け、または、取得した情報を適宜に制御装置１３に送る。さらに人体通信移動器１１と人体通信固定器１２との間では電界に基づいて人体通信１５が行われるように構成されている。
【００２５】
図２を参照して、人体通信システム１０の各要素の詳細な構成を説明する。
【００２６】
制御装置（システム管理装置）１３との間で指令または情報を送受する人体通信固定器１２は、内部に人体通信部２１を内蔵している。この人体通信部２１は、人体通信移動器（人体通信カードホルダ）１１との間で人体通信１５を行う機能要素である。
【００２７】
人体通信移動器１１の詳細説明では、カードホルダの形態および内部構造の説明に主眼が置かれる。
【００２８】
人体通信移動器１１は、人体通信部２２と制御部２３と非接触ＩＣカード通信部２４と非接触ＩＣカード収容部２５を内蔵している。人体通信部２２は、人体通信固定器１２との間で人体通信１５を行う機能要素である。制御部２３は、人体通信移動器１１内の各種の処理動作を制御する制御手段である。制御部２３はメモリを有し、当該メモリには各種処理動作を実行するプログラムが保存されている。また処理動作の一例として、非接触ICカード収容部２５の中に収容された非接触ＩＣカード１４との通信を介して、当該非接触ＩＣカード１４の保護領域に対してアクセスする機能を有した保護領域アクセス部２６を有している。非接触ＩＣカード通信部２４は、非接触ＩＣカード１４に電力を供給し、非接触ＩＣカード１４との間で通信（非接触ＩＣカード通信）を行う手段である。非接触ＩＣカード通信部２４はＩＣカードリーダライタである。なお、図示されていないが、人体通信移動器１１の中にはバッテリが内蔵されている。このバッテリから、人体通信部２２、制御部２３、および非接触ＩＣカード通信部２４の各々に動作に必要な電力が供給される。非接触ＩＣカード収容部２５には、図２中で不図示のスリット状の挿入口が設けられており、その挿入口から非接触ＩＣカード１４は挿入され、非接触ＩＣカード収容部２５の内部に収容される。
【００２９】
カードホルダの形態を有した人体通信移動器１１の外観を図３に示す。人体通信移動器１１は、スリット状の挿入口３１ａを備えた筐体３１を有している。筐体３１はカードホルダの形態を有している。筐体３１の挿入口３１ａに対しては、非接触ＩＣカード１４が差し込まれつつある状態を示している。最終的には、非接触ＩＣカード１４は挿入口３１ａ内に挿入され、筐体３１の非接触ＩＣカード収容部２５内に収容される。こうして人体通信移動器１１は人体通信カードホルダとして機能する。人体通信移動器１１は、人体通信カードホルダとして、利用者の衣服のポケット等に備えられる。
【００３０】
次の上記構成を有する人体通信システム１０において、人体通信固定器１２から、非接触ＩＣカード１４の保護領域（秘密領域）へのアクセスの内容（シーケンス）について説明する。
本実施形態の人体通信システム１０の構成によれば、非接触ＩＣカード１４の保護領域へのアクセスは、人体通信固定器１２から非接触ＩＣカード１４に対して直接的に行われるのではなく、人体通信移動器１１の制御部２３の保護領域アクセス部２６の機能によって、間接的に行われる。実際上、非接触ＩＣカード１４の保護領域へのアクセスは、人体通信移動器１１によって行われることに特徴がある。
【００３１】
図４を参照して、非接触ＩＣカード１４の保護領域での認証のみのシーケンスを説明する。人体通信固定器１２は、制御装置１３からアクセスの指令４１を受けると、人体通信１５を介して人体通信移動器１１に対して同指令４１を送る。人体通信移動器１１は指令４１を受けると、キャリア５１を出射してＩＤ取得の指令４２を非接触ＩＣカード１４に送り、非接触ＩＣカード１４からＩＤ４３を読み出す。このＩＤ４３の読出しが終了した時点で、キャリア５１の出射は停止される。その後、人体通信移動器１１は、人体通信１５を介して、人体通信固定器１２に対してＩＤ４３を返送する。その後、人体通信固定器１２は、人体通信１５を介して、人体通信移動器１１に対して、認証鍵を含む認証指令４４を送る。人体通信移動器１１は、認証指令４４を受けると、キャリア５２を出射し、認証鍵を使用して非接触ＩＣカード１４に対して「認証１」と「認証２」の各送受プロセスを実行する。「認証１」と「認証２」のプロセスが終了するまで、人体通信移動器１１からのキャリア５２の出射は継続される。「認証２」のプロセスが終了すると、人体通信移動器１１はキャリア５２の出射を停止し、さらに入手した認証鍵を消去する（ステップ４５）。その後、人体通信移動器１１は、人体通信１５を介して、認証に係る情報（アクセス結果）を人体固定器１２に送り（送信４６）、さらに人体通信固定器１２は、受け取ったアクセス結果を制御装置１３に送信する（応答４７）。
【００３２】
次に、図５を参照して、非接触ＩＣカード１４の保護領域での認証および読み取りのシーケンスを説明する。図５において、図４で説明した内容と同一の要素には同一の符号を付している。
人体通信固定器１２は、制御装置１３からアクセスの指令４１を受けると、人体通信１５を介して人体通信移動器１１に対して同指令４１を送る。人体通信移動器１１は指令４１を受けると、キャリア５１を出射してＩＤ取得の指令４２を非接触ＩＣカード１４に送り、非接触ＩＣカード１４からＩＤ４３を読み出す。このＩＤ４３の読出しが終了した時点で、キャリア５１の出射は停止される。その後、人体通信移動器１１は、人体通信１５を介して、人体通信固定器１２に対してＩＤ４３を返送する。その後、人体通信固定器１２は、人体通信１５を介して、人体通信移動器１１に対して、認証鍵を含む読み取り指令６１を送る。人体通信移動器１１は、読み取り指令６１を受けると、キャリア５２を出射し、認証鍵を使用して非接触ＩＣカード１４に対して「認証１」と「認証２」の各送受プロセスを実行する。さらにその後、人体通信移動器１１は、非接触ＩＣカード１４に対して「読み取り」のアクセスプロセスを実行する。「認証１」、「認証２」、および「読み取り」のすべてのプロセスが終了するまで、人体通信移動器１１からのキャリア５２の出射は継続される。「読み取り」のアクセスが終了すると、人体通信移動器１１はキャリア５２の出射を停止し、さらに入手した認証鍵を消去する（ステップ４５）。その後、人体通信移動器１１は、人体通信１５を介して、読み取り内容（アクセス結果）を人体通信固定器１２に送り（送信４６）、さらに人体通信固定器１２は、受け取ったアクセス結果を制御装置１３に送信する（応答４７）。
【００３３】
次に、図６を参照して、非接触ＩＣカード１４の保護領域での認証および読み取りの他のシーケンスを説明する。図６において、図５で説明した内容と同一の要素には同一の符号を付している。このシーケンスの特徴は、前述した図５のアクセスにおいて、人体通信固定器１２から人体通信移動器１１に対して認証鍵を送る際に当該認証鍵が盗聴されるおそれがあるため、「暗号鍵交換」の認証シーケンス６２を追加し、人体通信固定器１２と人体通信移動器１１と間の人体通信１５の安全性を高める。その他のシーケンスの内容は、図５で説明した内容と同じである。
先ず、人体通信固定器１２は、制御装置１３からアクセスの指令７１を受ける。このアクセス指令７１は、上記のアクセス指令４１の内容にさらに暗号鍵を含んでいる。人体通信固定器１２は、人体通信１５を介して、人体通信移動器１１との間で、前述した「暗号鍵交換」の認証シーケンス６２を実行する。ここで、正しく暗号鍵交換が行われない場合には、この段階でシーケンスは終了する。正しく暗号鍵交換が行われた場合には、人体通信固定器１２は、次の段階として、人体通信１５を介して人体通信移動器１１に対してアクセス指令６３を送る。人体通信移動器１１は指令６３を受けると、キャリア５１を出射してＩＤ取得の指令４２を非接触ＩＣカード１４に送り、非接触ＩＣカード１４からＩＤ４３を読み出す。このＩＤ４３の読出しが終了した時点で、キャリア５１の出射は停止される。その後、人体通信移動器１１は、人体通信１５を介して、人体通信固定器１２に対してＩＤ４３を返送する。その後、人体通信固定器１２は、人体通信１５を介して、人体通信移動器１１に対して、認証鍵を含む読み取り指令６１を送る。人体通信移動器１１は、読み取り指令６１を受けると、キャリア５２を出射し、認証鍵を使用して非接触ＩＣカード１４に対して「認証１」と「認証２」の各送受プロセスを実行する。さらにその後、人体通信移動器１１は、非接触ＩＣカード１４に対して「読み取り」のアクセスプロセスを実行する。「認証１」、「認証２」、および「読み取り」のすべてのプロセスが終了するまで、人体通信移動器１１からのキャリア５２の出射は継続される。「読み取り」のアクセスが終了すると、人体通信移動器１１はキャリア５２の出射を停止し、さらに入手した認証鍵を消去する（ステップ４５）。その後、人体通信移動器１１は、人体通信１５を介して、読み取り内容（アクセス結果）を人体通信固定器１２に送る（送信４６）。人体通信固定器１２はアクセス結果を受け取ると、暗号鍵消去を行う（ステップ６４）。その後、人体通信固定器１２は、受け取ったアクセス結果を制御装置１３に送信する（応答４７）。
【００３４】
以上の実施形態で説明された構成、形状、大きさおよび配置関係については本発明が理解・実施できる程度に概略的に示したものにすぎない。従って本発明は、説明された実施形態に限定されるものではなく、特許請求の範囲に示される技術的思想の範囲を逸脱しない限り様々な形態に変更することができる。
【産業上の利用可能性】
【００３５】
本発明に係る人体通信システムおよび人体通信カードホルダは、人体通信と非接触ＩＣカード通信の２つの通信を行う人体通信移動器で当該２つの通信の間の相互干渉を回避できるように構成し、人体通信固定器から非接触ＩＣカードの保護領域へのアクセスすることを行うことが可能となり、入退場管理等に利用される。
【符号の説明】
【００３６】
１０            人体通信システム
１１            人体通信移動器（人体通信カードホルダ）
１２            人体通信固定器
１３            制御装置（システム管理装置）
１４            非接触ＩＣカード
１５            人体通信
２１            人体通信部
２２            人体通信部
２３            制御部
２４            非接触ＩＣカード通信部
２５            非接触ＩＣカード収容部
２６            保護領域アクセス部
３１            筐体
３１ａ          挿入口
５１，５２      キャリア
【図１】
2015126482.tif 000003
【図２】
2015126482.tif 000004
【図３】
2015126482.tif 000005
【図４】
2015126482.tif 000006
【図５】
2015126482.tif 000007
【図６】
2015126482.tif 000008
【図７】
2015126482.tif 000009
【図８】
2015126482.tif 000010